【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】    少なくとも第１のソースからのパケット化プログラムデータを収集するための装置であって、
プログラムガイド情報を収集し、前記パケット化プログラムデータにおける階層的に順序付けされたデータテーブルで搬送された補助的情報を収集するプロセッサであって、前記補助的情報が、
（ａ）  １次データテーブルで搬送され、前記１次データテーブルに階層的にリンクされた複数の２次テーブルのうち、少なくとも１つにおけるバージョン変更に応答して更新される、第１のバージョン識別子と、
（ｂ）  ２次データテーブルで搬送され、
前記２次テーブルにおけるバージョン変更と、
前記２次テーブルに階層的にリンクされた３次テーブルにおけるバージョン変更のうち、少なくとも１つに応答して更新される、第２のバージョン識別子とを含むプロセッサと、
前記第１のバージョン識別子における変更の判定の後に続いて、前期第２のバージョン識別子の変更を検査することによって、前記２次データテーブル内容における変更を判定するプロセッサと、
前記変更の判定に応答して、前記２次データテーブルを収集する収集プロセッサと、を含むことを特徴とする装置。
【請求項２】  前記１次データテーブルは、階層順序のプログラムガイドデータテーブルにおけるバージョン変更を指示するためのルートデータベースを含むことを特徴とする請求項１に記載の装置。
【請求項３】  前記２次データテーブルは、（ａ）  放送チャネル、（ｂ）  放送プログラム、および（ｃ）ユーザインタフェース制御のうち、少なくとも１つに関連付けられたオブジェクトを含むマルチメディアオブジェクトにおける変更の指示に使用されることを特徴とする請求項１に記載の装置。
【請求項４】  前記１次データテーブルは、（ａ）  電子プログラムガイド情報テーブルおよび（ｂ）ＭＰＥＧ−２プログラム固有情報のうち、少なくとも１つにおける変更の指示に使用されることを特徴とする請求項１に記載の装置。
【請求項５】  前記補助的情報は、１次テーブルおよび２次テーブルのみを含む２つのレベルの階層配列であることを特徴とする請求項１に記載の装置。
【請求項６】  再区分可能なパケット化プログラムガイドデータを適応的に復号化するための装置であって、
階層的に順序付けされたデータテーブル区分を含み、区分情報を含むプログラムガイドデータを収集するプロセッサであって、前記区分情報が、
前記プログラムガイドデータの個々の区分に割り当てられた区分識別子を含み、前記プログラムガイドデータ区分が、前記区分情報における前記区分識別子の再割り当てによって動的に再区分可能であるプロセッサと、
前記再割り当てされた区分識別子を識別し、前記識別され再割り当てされた区分識別子に応答して追加のプログラムガイドデータを収集するプロセッサと、を含むことを特徴とする装置。
【請求項７】  前記区分識別子は、（ａ）  エリア、（ｂ）  放送時間、（ｃ）  複雑性レベル、（ｄ）  区分タイプのうち、少なくとも１つに基づいてプログラムガイドデータ区分を識別することを特徴とする請求項６に記載の装置。
【請求項８】  パケット化プログラムデータを、復号器における処理に適合するように形成するための方法であって、
プログラムガイド情報および補助的情報を階層的に順序付けされたデータテーブルに形成し、前記補助的情報に、
（ａ）  １次データテーブルで搬送され、前記１次データテーブルに階層的にリンクされた複数の２次テーブルのうち、少なくとも１つにおけるバージョン変更に応答して更新される、第１のバージョン識別子と、
（ｂ）  ２次データテーブルで搬送され、
前記２次テーブルにおけるバージョン変更と、
前記２次テーブルに階層的にリンクされた３次テーブルにおけるバージョン変更のうち、少なくとも１つに応答して更新される、第２のバージョン識別子と、を含めるステップと、
前記補助的情報および前記プログラムガイド情報を、伝送チャネルへの出力用にパケット化データに組み込むステップとを含むことを特徴とする方法。
【請求項９】  前記１次データテーブルを、階層順序のプログラムガイドデータテーブルにおけるバージョン変更を指示するルートデータベーステーブルを含むように形成するステップを含むことを特徴とする請求項８に記載の方法。
【請求項１０】  前記１次データテーブルを、（ａ）  放送チャネル、（ｂ）  放送プログラム、および（ｃ）  ユーザインタフェース制御のうち、少なくとも１つに関連付けられたオブジェクトを含むマルチメディアオブジェクトにおける変更を指示するように形成することを特徴とする請求項８に記載の方法。
【請求項１１】  前記１次データベースを、（ａ）  電子プログラムガイド情報テーブルおよび（ｂ）ＭＰＥＧ−２プログラム固有情報のうち、少なくとも１つにおける変更を指示するように形成することを含むことを特徴とする請求項８に記載の方法。
【請求項１２】  前記補助的情報は、１次テーブルおよび２次テーブルのみを含む２つのレベルの階層配列であることを特徴とする請求項８に記載の方法。
【請求項１３】  パケット化プログラムデータを、復号器における処理に適合するように形成するための方法であって、
プログラムガイド情報および補助的情報を階層的に順序付けされたデータテーブル区分に区分し、データベースを前記補助的情報に含めるステップであって、前記データベースが、
（ａ）  区分の内容変更を指示するための更新可能なバージョン番号と、
（ｂ）  前記プログラムガイド情報の個々の区分に割り当てられたセル番号と、を含み、前記プログラムガイド情報セル区分が、前記データベースにおける前記セル番号の再割り当てによって動的に再区分可能であるステップと、
前記補助的情報および前記プログラムガイド情報と、伝送チャネルへの出力用にパケット化データに組み込むステップとを含むことを特徴とする方法。
【請求項１４】  前記補助的情報は、（ａ）  放送チャネル、（ｂ）  放送プログラム、および（ｃ）  ユーザインタフェース制御のうち、少なくとも１つに関連付けられたオブジェクトを含むマルチメディアオブジェクトに含むことを特徴とする請求項１３に記載の方法。
【請求項１５】  オブジェクトは、（ａ）  ビデオセグメント、（ｂ）  オーディオセグメント、（ｃ）  テキスト、（ｄ）  表示用ユーザ選択可能項目を表わすアイコン、（ｅ）  ＨＴＭＬまたはＳＧＭＬ文書、（ｆ）  選択可能項目のメニュー、（ｇ）  包含する画像内の提示のための画像ウィンドウ、および（ｈ）  マルチメディア機能を開始するための画像ウィンドウのうち、少なくとも１つを含むことを特徴とする請求項１４に記載の方法。
【請求項１６】  セル番号は、（ａ）  エリア識別子、（ｂ）放送時間識別子、および（ｃ）複雑性レベル識別子のうち、少なくとも１つを組み込むことを特徴とする請求項１３に記載の方法。
【請求項１７】  ビデオ情報を表わすデジタルデータを含む記憶媒体であって、
ビデオプログラムを表わすデータと、
階層的に順序付けされたデータテーブル区分を含むプログラムガイド情報と、
データベースをその中に含める補助的情報と、を含み、
前記データベースは、
前記プログラムガイド情報における前記階層的に順序付けされたデータテーブル区分に関連付けられた、階層的に関連付けられたバージョン情報を含むことを特徴とする記憶媒体。
【請求項１８】  前記プログラムガイド情報の個々の区分に割り当てられたセル番号を含み、セル番号が（ａ）  エリア識別子、（ｂ）  放送時間識別子、（ｃ）  複雑性レベル識別子、および（ｄ）  区分タイプ識別子のうち、少なくとも１つを組み込むことを特徴とする請求項１７に記載の記憶媒体。